(57)【要約】【課題】印籠式であり、かつテーパー形状である紙製容器を提供する。【解決手段】蓋体３としての径大テーパー体と、容器本体２としての径小テーパー体とを備え、容器本体２及び蓋体３の側周面が、同一の仮想円錐Ｒ面に含まれており、さらに、径大テーパー体である蓋体３には、可撓性シートを環状にして作製されたテーパー状のガイド部材１０が装着されることで、印籠式であり、かつテーパー形状の紙製容器１Ａとしている。前記ガイド部材１０は、蓋体３を容器本体２に容易に取り付けるための案内機能を有し、接着することなく蓋体３から脱落しない。【選択図】図１
2014169112.tif 000002
【特許請求の範囲】
【請求項１】
容器本体と、該容器本体を上から塞ぐ蓋体と、を備えた紙製容器であって、
該容器本体、及び該蓋体は、同一の縦向き仮想円錐面内に含まれる側周面を有したテーパー形状を各々なし、
該容器本体、及び該蓋体のうち、いずれか一方を径大テーパー体とし、他方を径小テーパー体とし、該径大テーパー体における径小側に形成された開口端と、該径小テーパー体における径大側に形成された開口端とが対向配置されて、容器本体が蓋体によって閉塞状態となるものであり、
さらに前記径大テーパー体における径小側開口端に、可撓性シートが湾曲されて作製されたテーパー形状のガイド部材が、該径小側開口端の内周面に沿って内接しており、しかも、該ガイド部材には、該径小側開口端からはみ出して径小テーパー体側へ突出している突出部が形成されており、
該径大テーパー体と該径小テーパー体とが組み合わされた前記閉塞状態で、前記ガイド部材の突出部の外周面が、前記径小テーパー体の径大側開口端の内周面に面接触している
ことを特徴とする紙製容器。
【請求項２】
前記蓋体が、径大テーパー体からなり、
該径大テーパー体の径大側にも開口部が形成され、該開口部の開口縁には、内周側に向いたカール部が設けられており、また該開口部には、該開口部を遮蔽する閉塞部材が配設されており、
前記閉塞部材の周縁部の上面に、前記カール部が当接し、また該閉塞部材の周縁部の下面に、前記ガイド部材の径大側の端縁が当接する
請求項１に記載の紙製容器。
【請求項３】
請求項１又は請求項２に記載の紙製容器に使用されるガイド部材であって、
前記可撓性シートにおいて互いに向かい合う一対の側縁のうち少なくとも一方が円弧縁からなり、該円弧縁からなる側縁が、径大テーパー体に装着された際に前記突出部の先端縁となり、
さらに該可撓性シートの左右両端のうち少なくとも一方には、該可撓性シートの両端を接続して筒状でテーパー形状とするための接続手段が設けられていることを特徴とするガイド部材。
【請求項４】
同一の仮想円錐面内に側周面が含まれるテーパー形状の容器本体と蓋体とを準備し、
前記容器本体、及び蓋体のうち、一方を径大テーパー体とし、他方を径小テーパー体とし、
前記可撓性シートを湾曲させてテーパー形状のガイド部材を作製すると共に、該ガイド部材を、前記径大テーパー体の径小側開口端の内周面に沿って該径小側開口端に内接させて、該ガイド部材を該径大テーパー体に装着する工程を含むことを特徴とする請求項１又は請求項２に記載の紙製容器の製造方法。
【発明の詳細な説明】
【技術分野】
【０００１】
本発明は、容器本体と蓋体とを備える美観に優れたテーパー形状の紙製容器に関する。
【背景技術】
【０００２】
図６に示すような、テーパー形状の容器本体１０２と、これを塞ぐ蓋体１０７との２部材からなるカップ型の紙製容器１００は、既によく知られている。この種の紙製容器は、天面と底面との面積が異なるため、縦に積み重ねることが容易であり、運搬、保管、販売陳列等の場面で荷崩れを起こしにくいという利点がある。なお、テーパー形状とは、相対する面が対称的に傾斜している円錐状の部位の外観形状をいう。
【０００３】
また、特許文献１には、把持時における容器の強度を確保したテーパー形状の紙製容器が開示されている。さらに特許文献２には、いわゆる印籠式の容器が開示されており、筒状蓋体と筒状身体との外周面に段差が生じないようにした構成が提案されている。
【先行技術文献】
【特許文献】
【０００４】
【特許文献１】実用新案登録第３１７５６６５号公報
【特許文献２】特開２００２−１７８４１７号公報
【発明の概要】
【発明が解決しようとする課題】
【０００５】
しかしながら、図６に示すカップ型の紙製容器１００においては、容器本体１０２が下に向かうほど径小となるのに対して、蓋体１０７は径が変化しない円筒形状（ストレート形状）であるため、蓋をかぶせた際に該容器本体１０２と該蓋体１０７との間に段差部Ｓが生じてしまう。このため、この段差部Ｓに、蓋体１０７と容器本体１０２とを固定するための粘着テープやシールが貼りつけられた際に、かかる部位から粘着テープやシールが剥がれやすいという問題があった。また、容器本体１０２の側周面と蓋体１０７の側周面との間で連続した絵柄を装飾した場合であっても、かかる段差部Ｓで絵柄が分断されてしまい、美観向上に限界があった。
【０００６】
また、特許文献１に開示された紙製容器は、主に飲み物用の紙コップを対象としており、開口外周にカール部を有したものであるため、該紙製容器に蓋体を取り付けようとすると、該紙製容器と該蓋体との間には、さらに大きな段差部が形成されてしまう。さらに、特許文献２に開示された筒状化粧紙製容器は、全体形状がいわゆるストレート形状であり、運搬などの場面で積み上げが難しい。
【０００７】
そこで本発明は、共にテーパー形状の容器本体と蓋体とを用いた印籠式の紙製容器であって、美観に優れ、また、容器本体に対して蓋体を取り付けやすい紙製容器を提供することを目的とする。
【課題を解決するための手段】
【０００８】
本発明は、容器本体と、該容器本体を上から塞ぐ蓋体と、を備えた紙製容器であって、該容器本体、及び該蓋体は、同一の縦向き仮想円錐面内に含まれる側周面を有したテーパー形状を各々なし、該容器本体、及び該蓋体のうち、いずれか一方を径大テーパー体とし、他方を径小テーパー体とし、該径大テーパー体における径小側に形成された開口端と、該径小テーパー体における径大側に形成された開口端とが対向配置されて、容器本体が蓋体によって閉塞状態となるものであり、さらに前記径大テーパー体における径小側開口端に、可撓性シートが湾曲されて作製されたテーパー形状のガイド部材が、該径小側開口端の内周面に沿って内接しており、しかも、該ガイド部材には、該径小側開口端からはみ出して径小テーパー体側へ突出している突出部が形成されており、該径大テーパー体と該径小テーパー体とが組み合わされた前記閉塞状態で、前記ガイド部材の突出部の外周面が、前記径小テーパー体の径大側開口端の内周面に面接触していることを特徴とする紙製容器である。
【０００９】
上記のように、本発明にかかる印籠式の紙製容器は、同一の仮想円錐面内に側周面が含まれるテーパー形状を各々なした容器本体と蓋体とからなるため、従来のような容器本体と蓋体との間に段差部が形成されない。したがって、蓋体と容器本体とを固定するための粘着テープやシールが蓋体及び容器本体の各側周面に貼りつけられた場合であっても、これら粘着テープやシールが従来に比べて剥がれにくい。また、容器本体の側周面と蓋体の側周面との間で連続した絵柄が装飾された場合であっても、境界部分で絵柄が分断されず、美観が損なわれない。ここで例えば、容器本体の上縁部と蓋体の下縁部とを同径とし、閉塞状態において容器本体の上縁部と蓋体の下縁部とを当接するような構成とした場合、容器本体の側周面と蓋体の側周面とが隙間なく面一で連続することとなる。また、容器本体と蓋体とを組み合わせる際には、容器本体及び蓋体のテーパー形状に沿って形成されたテーパー形状のガイド部材によって、蓋体が円滑に案内され、閉塞状態となるため、蓋を取り付ける作業が容易となる。なお、蓋体の下縁と容器本体の上縁とは必ずしも当接している必要はなく、互いに離間した状態で対向配置される構成であってもよい。
【００１０】
さらに、前記蓋体が、径大テーパー体からなり、該径大テーパー体の径大側にも開口部が形成され、該開口部の開口縁には、内周側に向いたカール部が設けられており、また該開口部には、該開口部を遮蔽する閉塞部材が配設されており、前記閉塞部材の周縁部の上面に、前記カール部が当接し、また該閉塞部材の周縁部の下面に、前記ガイド部材の径大側の端縁が当接するようにすることが望ましい。
【００１１】
かかる構成とすることにより、前記閉塞部材が前記カール部と前記ガイド部材とによって挟まれる配置となるため、接着剤等の接着手段を用いることなく、閉塞部材を脱落させずに蓋体に担持することが可能となる。ここで、前記ガイド部材は、前記径大テーパー体の内周面に内接して配置されているため、下向きへの移動が制限されている。したがって、該ガイド部材の径大側の外周縁（上縁）に閉塞部材が当接することで、該閉塞部材は開口部から抜け落ちてしまうことが防止される。
【００１２】
またさらに本発明は、上記の紙製容器に使用されるガイド部材であって、前記可撓性シートにおいて互いに向かい合う一対の側縁のうち少なくとも一方が円弧縁からなり、該円弧縁からなる側縁が、径大テーパー体に装着された際に前記突出部の先端縁となり、さらに該可撓性シートの左右両端のうち少なくとも一方には、該可撓性シートの両端を接続して筒状でテーパー形状とするための接続手段が設けられていることを特徴とするガイド部材である。
【００１３】
かかる構成とすることにより、簡易な構造で、筒状でテーパー形状のガイド部材を作製することができると共に、これを径大テーパー体に容易かつ迅速に装着することが可能となる。
【００１４】
また、本発明は、同一の仮想円錐面内に側周面が含まれるテーパー形状の容器本体と蓋体とを準備し、前記容器本体、及び蓋体のうち、一方を径大テーパー体とし、他方を径小テーパー体とし、前記可撓性シートを湾曲させてテーパー形状のガイド部材を作製すると共に、該ガイド部材を、前記径大テーパー体の径小側開口端の内周面に沿って該径小側開口端に内接させて、該ガイド部材を該径大テーパー体に装着する工程を含むことを特徴とする上記の紙製容器の製造方法である。
【００１５】
かかる構成とすることにより、前記ガイド部材を容易に径大テーパー体内に装着して紙製容器を迅速かつ手軽に製造することができる。
【発明の効果】
【００１６】
本発明の印籠式でテーパー形状の紙製容器は、同一の仮想円錐面内に側周面が含まれるテーパー形状の容器本体と、これを塞ぐ蓋体とからなる美しい外観形状を備えつつ、双方を組み合わせる際の案内作用も備えている効果がある。また、本発明のガイド部材は、簡易な構造で、上記紙製容器のおける突出部を形成することができる効果がある。さらに、本発明の製造方法は、上記紙製容器を、迅速かつ低コストで製造することができる効果がある。
【図面の簡単な説明】
【００１７】
【図１】紙製容器の外観斜視図であり、（ａ）は蓋体を装着した状態を示し、（ｂ）は蓋体を外した状態を示す。
【図２】実施例にかかる紙製容器の部分縦断面図であり、（ａ）は蓋体を装着した状態を示し、（ｂ）は蓋体を外した状態を示す。
【図３】（ａ）はガイド部材にかかる可撓性シートの平面図、（ｂ）ガイド部材を取り付けた蓋体を底面側から示す説明図である。
【図４】紙製容器の使用例を示す外観斜視図である。
【図５】他の実施例にかかる紙製容器の外観斜視図である。
【図６】従来の紙製容器の部分縦断面図である。
【発明を実施するための形態】
【００１８】
以下、本発明の紙製容器を具体化した実施例を詳細に説明する。なお、本発明は、下記に示す実施例に限定されることはなく、適宜設計変更が可能である。
【００１９】
本実施例の、印籠式でテーパー形状の紙製容器１Ａを、図１〜図４に従って説明する。
紙製容器１Ａは、図１等に示すように、容器本体２と、これを上から塞ぐ蓋体３とを備えている。さらに、該容器本体２と該蓋体３は、共にテーパー形状をなし、しかも該容器本体２と該蓋体３の各側周面が、図１（ａ）に示すような縦向きに配された同一の仮想円錐Ｒの曲面内に共に含まれている。すなわち、図１（ｂ）に示すように、該容器本体２を径小テーパー体とし、該蓋体３を径大テーパー体とした場合、該径小テーパー体の径大側に形成された開口端と、径大テーパー体の径小側に形成された開口端とが対向配置されることで、蓋体３によって容器本体２が閉じられた閉塞状態が得られる。なお、図１(ａ)に示すように仮想円錐Ｒの曲面に径大テーパー体と径小テーパー体とを配置した際に、該仮想円錐Ｒの先端側（頂点側）が径小側となり、その反対側である底面側が径大側となる。
【００２０】
図２に示すように、前記容器本体２は、中心軸を上下方向としたテーパー形状の本体筒部４を備え、該本体筒部４の径小側の端部は、内周側へ巻回してなるカール部５が形成されている。また、該カール部５には、該容器本体２の内側から取り付けられた円形の底板６が配置されている。なお、該底板６を該本体筒部４に取り付ける構造は、周知の手段が好適に採用可能であり、例えば接着剤を介して接着することができる。
【００２１】
一方、前記蓋体３は、図２に示すように、中心軸を上下方向としたテーパー形状の蓋体筒部７を備えている。該蓋体筒部７の径大側である上端には、開口部が形成されていると共に、該開口部の開口縁には、内周側へ巻回してなるカール部８が形成されている。さらに、該開口部を遮蔽する閉塞部材としての円形の天板９が、該カール部８の下側に配置されている。なお、該天板９は、前記底板６とは異なり、該蓋体筒部７に対して接着されていない。
【００２２】
なお、前記蓋体３と前記容器本体２は、例えば単一の円錐体をまず作製し、該円錐体をその中心軸に直交する方向に切断分離して各々準備することができる。したがって、図６に示すような、蓋体１０７及び容器本体１０２のうち片方のみがテーパー形状の構成は、双方を別々の製造工程で作製する必要があるが、本発明にかかる紙製容器１Ａは、蓋体３と容器本体２の製造工程を様々な箇所で共通化して工程を減ずることができるため、全体として製造工程を簡素化することができる。
【００２３】
次に、本発明の要部にかかるガイド部材１０について説明する。該ガイド部材１０は、前記蓋体３内に装着されており、以下の手順で作製される。
【００２４】
まず、図３（ａ）に示すような、平面視した際の形状が略扇形で帯状の可撓性シート１０Ａが準備される。該可撓性シート１０Ａは、対向する一対の長手縁と、対向する一対の短手縁とを有し、該一対の長手縁が、共に略同じ曲率で同方向に湾曲した円弧縁で構成されている。
【００２５】
また、前記一対の短手縁に対応する左右両端部１２，１３には、該両端部１２，１３を接続するための接続手段が設けられている。具体的には、前記端部１２には、先端へ向かうにしたがって幅広となる凸部１２ａが設けられ、前記端部１３には、コの字状に切り欠かれた凹部１３ａが設けられている。なお、該凸部１２ａと該凹部１３ａにより、本発明に係る接続手段が構成される。
【００２６】
そして、図３（ｂ）に示すように、前記可撓性シート１０Ａを、凸側となる端縁１４が該天板９側に配されるようにして筒状に湾曲させつつ、前記蓋体３の径小側の開口部へ挿入すると共に、該可撓性シート１０Ａの前記凸部１２ａを前記凹部１３ａ内に嵌入させて環状の筒状体とする。このとき、筒状体とされたガイド部材１０は、図２に示すように、テーパー形状をなし、該蓋体３の径小側開口端の傾斜した内周面に沿って内接する。しかも、該ガイド部材１０には、該蓋体３の径小側開口端からはみ出して容器本体２側へ突出する突出部１１が形成されている。これにより、印籠式でテーパー形状の紙製容器１Ａが提供されうる。なお、該突出部１１の先端縁が、該ガイド部材１０が蓋体３に装着された際に水平方向となるように可撓性シート１０Ａの円弧縁が設定されている。
【００２７】
さらに、蓋体３に装着されたガイド部材１０の上縁である端縁１４は、前記天板９の周縁部の下面に当接している。すなわち、該天板９は、カール部８とガイド部材１０とによって挟持されている。
【００２８】
そして、図１，図２に示すように、前記蓋体３が、ガイド部材１０の案内作用に従って前記容器本体２に容易に取り付けられ、該蓋体３の下端部と該容器本体２の上端部が突き合わされた閉塞状態で、該ガイド部材１０における突出部１１の外周面が、該容器本体２における径大側の開口端の内周面に面接触する。なお、該ガイド部材１０は、テーパー形状をなし、同じくテーパー形状の蓋体３の内周面に沿って装着されているため、該蓋体３の開口部から簡単に脱離してしまう、ということがない。
【００２９】
上記構成にあっては、前記ガイド部材１０が、接着剤等の接着手段を用いることなく前記蓋体３に装着され、前記天板９も、接着手段を用いることなく、蓋体７に対して脱落することなく担持されている。したがって、上記紙製容器１Ａは、材料費を抑えつつ、接着工程などの製造工程も簡略できるため、製造コストが従来構成に比べ飛躍的に低減される。
【００３０】
また、図１（ａ）に示すように閉塞状態の紙製容器１Ａは、容器本体２と蓋体３とが同一の仮想円錐Ｒ面内に側周面が含まれるテーパー形状を各々なし、該容器本体２の上縁と蓋体３の下縁とが同径であるため、従来のように容器本体と蓋体との間で段差部が形成されない。したがって、例えば図４に示すように、容器本体２と蓋体３の両方にまたがるような絵柄が装飾された際に、美観が損なわれない。また、容器本体２と蓋体３の両方にまたがるように粘着テープ等が貼り付けられてもはがれにくい利点がある。また、該紙製容器１Ａにラッピングを施した際にも、容器本体２と蓋体３との境界で段差が生じないため該ラッピングに折り目がついてしまったり破れたりしない。
【００３１】
なお、他の実施例の紙製容器１Ｂとしてもよい。例えば図５に示すように、ガイド部材１０の突出部１７の突出長さを調整し、容器本体２に蓋体３が取り付けられた閉塞状態で、該突出部１７が容器本体２と蓋体３との間から一部露出するようにしてもよい。かかる構成は、ガイド部材１０がテーパー形状であるがゆえに実現可能な構成であり、該ガイド部材１０が容器本体２の内周面に面接触した状態で蓋体３が位置決めされるため、突出部１７の突出長さを適宜調整して露出部分の面積を変更することで、変化に富んだ外観デザインとすることができる。
【００３２】
また、これまでに述べた紙製容器１Ａ，１Ｂにあっては、径大テーパー体を容器本体２とし、径小テーパー体を蓋体３として上下逆に使用されてもよい。また、天板９の形状は、円板状に限定されず、上方へ膨出したドーム形状や動物形状等の複雑形状としてもよい。
【００３３】
また、前記ガイド部材１０の突出部１１，１７の先端縁は必ずしも水平縁である必要はなく、波形状や傾斜縁であってもよい。すなわち、可撓性シート１０Ａにおける突出部１１の先端縁となる側縁は円弧縁以外であってもよい。また、該ガイド部材１０を筒状体とするための接続手段は、上記形状に限定されることはない。また、該接続手段は可撓性シート１０Ａの両端部１２，１３の少なくとも一方に設けられていればよく、片方の端部１２（１３）のみに設けられていてもよい。また、本発明にかかるガイド部材１０は、両端部が接着されてなる構成のものを積極的に排除するものではない。さらに、該ガイド部材１０は、周方向に連続した完全な筒状体である必要はなく、一部に切欠部が形成されていてもよい。
【００３４】
また、紙製容器１Ａ，１Ｂの材料としては、紙のみであってもよいし、基層となる紙に周知の防水層や光沢層等を積層した材料であっても構わない。
【符号の説明】
【００３５】
１Ａ，１Ｂ    紙製容器
２            容器本体（径小テーパー体）
３            蓋体（径大テーパー体）
８            カール部
９            天板（閉塞部材）
１０          ガイド部材
１０Ａ        可撓性シート
１１，１７    突出部
１２ａ        凸部（接続手段）
１３ａ        凹部（接続手段）
Ｒ            仮想円錐
【図１】
2014169112.tif 000003
【図２】
2014169112.tif 000004
【図３】
2014169112.tif 000005
【図４】
2014169112.tif 000006
【図５】
2014169112.tif 000007
【図６】
2014169112.tif 000008